(57)【要約】【課題】本発明は、外装部材に貼り付けられた両面粘着テープの粘着層の表面に設けられた剥離紙を剥がしやすくすることができる技術を提供することを目的とする。【解決手段】外装部材付電線１０は、電線２０と、外装部材３０と、を備える。前記外装部材３０は、電線２０に巻付け可能に形成された本体部３６と、前記本体部３６に設けられた両面粘着テープ４０とを含む。前記両面粘着テープ４０の角部４３のうち少なくとも一部の角部４３が鋭角部とされる。前記本体部３６のうち前記両面粘着テープ４０が設けられた部分が前記両面粘着テープ４０と同じ形状に形成された状態で前記外装部材３０が前記電線２０に取付けられる。【選択図】図２
2017195017.tif 000002
【特許請求の範囲】
【請求項１】
電線と、
電線に巻付け可能に形成された本体部と、前記本体部に設けられた両面粘着テープとを含み、前記両面粘着テープの角部のうち少なくとも一部の角部が鋭角部とされ、前記本体部のうち前記両面粘着テープが設けられた部分が前記両面粘着テープと同じ形状に形成された状態で前記電線に取付けられる外装部材と、
を備える、外装部材付電線。
【請求項２】
請求項１に記載の外装部材付電線であって、
前記両面粘着テープは、前記外装部材における１つの方向に沿って延在する外縁部に設けられ、
前記両面粘着テープのうち前記外縁部とは反対側に位置し前記１つの方向に沿って延在する内側縁部と、前記内側縁部の両隣の辺とがそれぞれ交差する位置に位置する２つの角部を内側角部として、
前記鋭角部が２つの前記内側角部の少なくとも一方に形成されている、外装部材付電線。
【請求項３】
請求項２に記載の外装部材付電線であって、
２つの前記内側角部のうち一方が前記鋭角部に形成され、他方は鈍角部に形成されている、外装部材付電線。
【請求項４】
請求項３に記載の外装部材付電線であって、
前記外装部材のうち前記１つの方向に沿って延在する一対の前記外縁部にそれぞれ前記両面粘着テープが設けられ、
１つの前記両面粘着テープにおける前記１つの方向に沿った前記鋭角部と前記鈍角部との位置関係が、２つの前記両面粘着テープにおいて逆にされている、外装部材付電線。
【請求項５】
請求項１から請求項４のいずれか１項に記載の外装部材付電線であって、
前記両面粘着テープは、前記外装部材における第１方向に沿って延在する第１縁部に設けられ、
前記外装部材における前記第１方向と交差する第２方向に延びる第２縁部が波形状に切り欠かれて前記鋭角部が形成されている、外装部材付電線。
【請求項６】
電線に巻付け可能に形成された本体部と、
前記本体部に設けられた両面粘着テープと、
前記両面粘着テープの一方主面に設けられた剥離紙と、
を備え、
前記両面粘着テープ及び前記剥離紙の角部のうち少なくとも一部の角部が鋭角部とされ、前記本体部のうち前記両面粘着テープが設けられた部分が前記両面粘着テープと同じ形状に形成されている、外装部材。
【発明の詳細な説明】
【技術分野】
【０００１】
この発明は、外装部材を電線に取付ける技術に関する。
【背景技術】
【０００２】
特許文献１は、保護シートにおける電線の延在方向に沿う一対の縁部にそれぞれ両面粘着テープが設けられ、一方を電線側に貼り付けて巻始め部分とし、他方を電線周りに既に巻き付けられた保護シートの外面に貼り付けて巻終わり部分とする電線に対する保護シートの巻き付け方法を開示している。
【先行技術文献】
【特許文献】
【０００３】
【特許文献１】特開２０１４−１７９８５号公報
【発明の概要】
【発明が解決しようとする課題】
【０００４】
しかしながら、特許文献１のように両面粘着テープの端部が両面粘着テープの長手方向に直交する方向に裁断されていると、両面粘着テープの粘着層の表面に設けられた被覆テープ（剥離紙）を剥がしにくい恐れがある。
【０００５】
そこで、本発明は、外装部材に貼り付けられた両面粘着テープの粘着層の表面に設けられた剥離紙を剥がしやすくすることができる技術を提供することを目的とする。
【課題を解決するための手段】
【０００６】
上記課題を解決するため、第１の態様に係る外装部材付電線は、電線と、電線に巻付け可能に形成された本体部と、前記本体部に設けられた両面粘着テープとを含み、前記両面粘着テープの角部のうち少なくとも一部の角部が鋭角部とされ、前記本体部のうち前記両面粘着テープが設けられた部分が前記両面粘着テープと同じ形状に形成された状態で前記電線に取付けられる外装部材と、を備える。
【０００７】
第２の態様に係る外装部材付電線は、第１の態様に係る外装部材付電線であって、前記両面粘着テープは、前記外装部材における１つの方向に沿って延在する外縁部に設けられ、前記両面粘着テープのうち前記外縁部とは反対側に位置し前記１つの方向に沿って延在する内側縁部と、前記内側縁部の両隣の辺とがそれぞれ交差する位置に位置する２つの角部を内側角部として、前記鋭角部が２つの前記内側角部の少なくとも一方に形成されている。
【０００８】
第３の態様に係る外装部材付電線は、第２の態様に係る外装部材付電線であって、２つの前記内側角部のうち一方が前記鋭角部に形成され、他方は鈍角部に形成されている。
【０００９】
第４の態様に係る外装部材付電線は、第３の態様に係る外装部材付電線であって、前記外装部材のうち前記１つの方向に沿って延在する一対の前記外縁部にそれぞれ前記両面粘着テープが設けられ、１つの前記両面粘着テープにおける前記１つの方向に沿った前記鋭角部と前記鈍角部との位置関係が、２つの前記両面粘着テープにおいて逆にされている。
【００１０】
第５の態様に係る外装部材付電線は、第１から第４のいずれか１つの態様に係る外装部材付電線であって、前記両面粘着テープは、前記外装部材における第１方向に沿って延在する第１縁部に設けられ、前記外装部材における前記第１方向と交差する第２方向に延びる第２縁部が波形状に切り欠かれて前記鋭角部が形成されている。
【００１１】
第６の態様に係る外装部材は、電線に巻付け可能に形成された本体部と、前記本体部に設けられた両面粘着テープと、前記両面粘着テープの一方主面に設けられた剥離紙と、を備え、前記両面粘着テープ及び前記剥離紙の角部のうち少なくとも一部の角部が鋭角部とされ、前記本体部のうち前記両面粘着テープが設けられた部分が前記両面粘着テープと同じ形状に形成されている。
【発明の効果】
【００１２】
第１から第５の態様によると、両面粘着テープに鋭角部が形成されているため、両面粘着テープの粘着層の表面に設けられた剥離紙を剥がす際に鋭角部を手掛かりとすることによって当該剥離紙が剥がしやすくなる。このとき、本体部のうち両面粘着テープが設けられた部分が両面粘着テープと同じ形状に形成されているため、両面粘着テープが鋭角部を有しつつ本体部が両面粘着テープと同じ形状に形成されていない場合に比べて、両面粘着テープのない部分が生じることが抑制されることによって、貼り付けた後の本体部の縁部が剥がれにくくなる。
【００１３】
特に、第２の態様によると、鋭角部は、２つの内側角部の少なくとも一方に形成されていることによって、本体部のうち中央側から剥離紙を剥がしやすくなる。
【００１４】
特に、第３の態様によると、２つの内側角部のうち一方が鋭角部に形成され、他方は鈍角部に形成されている。これにより、外装部材を長尺の基材から切り出して連続的に製造した場合でも、１つの両面粘着テープの内側角部に必ず鋭角部を形成することができる。
【００１５】
特に、第４の態様によると、１つの両面粘着テープにおける１つの方向に沿った鋭角部と鈍角部との位置関係が、２つの両面粘着テープにおいて逆にされている。このため、２つの両面粘着テープの一方の剥離紙を剥がした後に、外装部材を１８０度回転させることで、２つの両面粘着テープの他方の剥離紙も、一方の剥離紙と同様の姿勢で剥がすことができる。
【００１６】
特に、第５の態様によると、第２縁部が波形状に切り欠かれて鋭角部が形成されているため、剥離紙を剥がす際に応力が集中しやすい箇所が生じることによって、当該剥離紙が剥がしやすくなる。
【００１７】
第６の態様によると、両面粘着テープ及び剥離紙に鋭角部が形成されているため、剥離紙を剥がす際に鋭角部を手掛かりとすることによって当該剥離紙が剥がしやすくなる。このとき、本体部と両面粘着テープとに共に鋭角部が形成されているため、本体部に鋭角部が形成されずに両面粘着テープに鋭角部が形成されている場合に比べて、本体部に両面粘着テープのない部分が生じることが抑制されることによって、貼り付けた後の本体部の縁部が剥がれにくくなる。
【図面の簡単な説明】
【００１８】
【図１】実施形態に係る外装部材付電線を示す平面図である。
【図２】電線に巻付ける前の外装部材を示す平面図である。
【図３】図２の部分拡大図である。
【図４】外装部材の変形例を示す平面図である。
【図５】外装部材の別の変形例を示す平面図である。
【発明を実施するための形態】
【００１９】
｛実施形態｝
以下、実施形態に係る外装部材付電線及び外装部材について説明する。図１は、実施形態に係る外装部材付電線１０を示す平面図である。図２は、電線２０に巻付ける前の外装部材３０を示す平面図である。図３は、図２の部分拡大図である。なお、図２では剥離紙５０が一部剥がされている状態を示し、図３では剥離紙５０が剥がされていない状態を示している。
【００２０】
実施形態に係る外装部材付電線１０は、電線２０と、外装部材３０と、を備える。
【００２１】
電線２０は、少なくとも１本含まれていればよい。本実施形態では、外装部材付電線１０が、複数の電線２０を含む電線２０の束を備える場合を説明する。各電線２０は、例えば、芯線と、芯線の周囲に形成された被覆とを備える。芯線は、銅、銅合金、アルミニウム、アルミニウム合金等の導電性材料によって線状に形成されている。ここでは、芯線は、複数の素線が撚り合わされた構成とされている。もっとも、芯線は、単線によって構成されていてもよい。被覆は、絶縁性樹脂材料が押出装置等により芯線の周りに押し出されることによって形成される。電線２０の端部には、コネクタ等が接続されている。電線２０は、車両等の配設対象箇所に配設された状態で、コネクタ等を介して車両等に搭載された各種電気機器に接続される。そして各種電気機器同士を電気的に接続するものとして用いられる。
【００２２】
外装部材３０は、本体部３６と、両面粘着テープ４０とを含む。外装部材３０は、電線２０に取付けられている。以下では、外装部材３０において、電線２０に巻付ける前の状態を外装部材３０Ｂとし、巻付けた後の外装部材３０と区別することがある。図２に示すように、電線２０に巻付ける前の外装部材３０Ｂは、剥離紙５０をさらに備える。
【００２３】
本体部３６は、電線２０に巻付け可能に形成されている。ここでは、本体部３６は、樹脂等を材料としてシート状に形成されている。本体部３６が電線２０に巻付けられて外装部材３０が形成されている。
【００２４】
ここでは、本体部３６は、長尺シート状に形成されているものとして説明する。以下では、本体部の一対の縁部３７ａ、３７ｂの延在方向を第１方向Ｄ１とし、他方の対の縁部３７ｃ、３７ｄの延在方向を第２方向Ｄ２と称する。また、縁部３７ａ、３７ｂ、３７ｃ、３７ｄは、それぞれ外装部材３０の外縁部３１ａ、３１ｂ、３１ｃ、３１ｄを成している。外縁部３１ａ、３１ｂは、第１縁部の一例である。外縁部３１ｃ、３１ｄは、第２縁部の一例である。
【００２５】
両面粘着テープ４０は、本体部３６に設けられている。両面粘着テープ４０の角部４３、特にここでは、長尺方向に沿った縁部の端に位置する角部４３のうち少なくとも一部の角部４３が鋭角部とされている。
【００２６】
本体部３６のうち両面粘着テープ４０が設けられた部分は、両面粘着テープ４０と同じ形状に形成されている。また、剥離紙５０は、両面粘着テープ４０と同じ形状に形成されている。外装部材３０Ｂは、例えば、本体部３６に剥離紙５０付きの両面粘着テープ４０が貼り付けられた状態で、本体部３６が両面粘着テープ４０及び剥離紙５０ごと裁断されることで形成される。なお、本体部３６には両面粘着テープ４０が設けられていない部分も存在する。このため、本体部３６のうち両面粘着テープ４０において鋭角部とされる部分と同じ位置にある部分が鋭角状に形成されているとは限らない。
【００２７】
両面粘着テープ４０は、外装部材３０における第１方向Ｄ１に沿って延在する外縁部３１ａ（３１ｂ）に設けられている。両面粘着テープ４０は、外装部材３０のうち第１方向Ｄ１に沿って延在する一対の外縁部３１ａ、３１ｂにそれぞれ設けられている。以下では、外縁部３１ａに設けられる両面粘着テープ４０を両面粘着テープ４００と称し、外縁部３１ｂに設けられる両面粘着テープ４０を両面粘着テープ４０１と称する。
【００２８】
両面粘着テープ４００は、長尺方向に沿う一対の縁部４１０ａ、４１０ｂが、外縁部３１ａに沿うように本体部３６に設けられている。一対の縁部４１０ａ、４１０ｂのうちの一方の縁部４１０ａが外装部材３０Ｂの外縁部３１ａ（本体部３６の縁部３７ａ）を向いている。ここでは、縁部４１０ａが縁部３７ａと一致して外縁部３１ａを成している。従って、第１方向Ｄ１に沿って延在する一対の縁部４１０ａ、４１０ｂのうちの他方の縁部４１０ｂは、両面粘着テープ４００のうち外縁部３１ａ側とは反対側に位置する。縁部４１０ｂは、内側縁部の一例である。また、両面粘着テープ４００のうち短尺方向に沿う縁部４１０ｃ、４１０ｄと、縁部４１０ｂとがそれぞれ交差する位置に位置する２つの角部４３を内側角部４４０ａ、４４０ｂと称する。鋭角部は、２つの内側角部４４０ａ、４４０ｂの少なくとも一方に形成されている。ここでは、２つの内側角部４４０ａ、４４０ｂのうち一方の内側角部４４０ａが鋭角部に形成され、他方の内側角部４４０ｂは鈍角部に形成されている。
【００２９】
同様に、両面粘着テープ４０１は、長尺方向に沿う一対の縁部４１１ａ、４１１ｂが、外縁部３１ｂに沿うように本体部３６に設けられている。一対の縁部４１１ａ、４１１ｂのうちの一方の縁部４１１ａが外装部材３０Ｂの外縁部３１ｂ（本体部３６の縁部３７ｂ）を向いている。ここでは、縁部４１１ａが縁部３７ｂと一致して外縁部３１ｂを成している。従って、第１方向Ｄ１に沿って延在する一対の縁部４１１ａ、４１１ｂのうちの他方の縁部４１１ｂは、両面粘着テープ４０１のうち外縁部３１ｂ側とは反対側に位置する。縁部４１１ｂは、内側縁部の一実施例である。また、両面粘着テープ４０１のうち短尺方向に沿う縁部（辺）４１１ｃ、４１１ｄと、縁部４１１ｂとがそれぞれ交差する位置に位置する２つの角部４３を内側角部４４１ａ、４４１ｂと称する。鋭角部は、２つの内側角部４４１ａ、４４１ｂの少なくとも一方に形成されている。ここでは、２つの内側角部４４１ａ、４４１ｂのうち一方の内側角部４４１ａが鋭角部に形成され、他方の内側角部４４１ｂは鈍角部に形成されている。
【００３０】
外装部材３０における第１方向Ｄ１と交差する第２方向Ｄ２に延びる外縁部３１ｃ、３１ｄが波形状に切り欠かれて上記鋭角部及び上記鈍角部が形成されている。より詳細には、外縁部３１ｃ、３１ｄは三角波形状３３に形成されている。以下では、三角波形状３３において、外装部材３０Ｂの内側に凸の部分を谷３４と称し、外装部材３０Ｂの外側に凸の部分を山３５と称する。三角波形状３３の外縁部３１ｃにおいてこれと接する一方の外縁部３１ａ側から他方の外縁部３１ｂに向かった際に、谷３４から山３５に向かう部分又は山３５の部分（図２に示す例では、谷３４から山３５に向かう部分）で縁部４１０ｂ、４１１ｂとそれぞれ交差して鋭角部である内側角部４４０ａ及び鈍角部である内側角部４４１ａがそれぞれ形成されている。同様に、三角波形状３３の外縁部３１ｄにおいてこれと接する一方の外縁部３１ａ側から他方の外縁部３１ｂに向かった際に、山３５から谷３４に向かう部分又は谷３４の部分（図２に示す例では、山３５から谷３４に向かう部分）で縁部４１０ｂ、４１１ｂと交差して鈍角部である内側角部４４０ｂ及び鋭角部である内側角部４４１ｂがそれぞれ形成されている。
【００３１】
一対の外縁部３１ｃ、３１ｄは、相互に合わされる形状に形成されている。より詳細には、ここでは第２方向Ｄ２に沿って外縁部３１ｃが谷３４に形成されている位置では、外縁部３１ｄは山３５に形成されている。つまり、第２方向Ｄ２に沿った同じ位置において、外縁部３１ｃが第１方向Ｄ１の一方側に凸であれば、外縁部３１ｄも第１方向Ｄ１の一方側に凸となる。これは、例えば、長尺のシート状部材を長尺方向に沿って送りつつ、同じ刃で切り出して外装部材３０Ｂを形成することによる。もっとも、外装部材３０Ｂにおける一対の外縁部３１ｃ、３１ｄは、相互に合わさる形状に形成されていなくてもよい。
【００３２】
１つの両面粘着テープ４００（４０１）の２つの内側角部４４０ａ、４４０ｂ（４４１ａ、４４１ｂ）における第１方向Ｄ１に沿った鋭角部と鈍角部との位置関係が、２つの両面粘着テープ４００、４０１において逆にされている。すなわち、両面粘着テープ４００において第１方向Ｄ１に沿った一方側に鋭角部である内側角部４４０ａが存在し、第１方向Ｄ１に沿った他方側に鈍角部である内側角部４４０ｂが存在する。また、両面粘着テープ４０１において第１方向Ｄ１に沿った一方側に鈍角部である内側角部４４１ａが存在し、第１方向Ｄ１に沿った他方側に鋭角部である内側角部４４１ｂが存在する。これにより、２つの両面粘着テープ４０のうち一方において剥離紙５０を剥がした後、外装部材３０を主面に直交する軸周りに１８０度回転させることで、同じ姿勢で２つの両面粘着テープ４０のうち他方において剥離紙５０を剥がすことができる。
【００３３】
なお、三角波形状３３の周期、つまり隣り合う山３５（谷３４）の間隔及び両面粘着テープ４０の幅寸法は、適宜設定されていればよい。例えば、両面粘着テープ４０の幅寸法が５ミリメートル以上であり、三角波形状３３の周期が両面粘着テープ４０の幅寸法の半分以上２倍以下であることが考えられる。また、三角波形状３３の振幅等についても適宜設定されていればよい。
【００３４】
また、一対の外縁部３１ｃ、３１ｄに形成される波形状としては、湾曲した波形状であることも考えられる。その場合、外縁部のうち内側縁部と交差する部分の接線方向と内側縁部との成す角を内側角部ととらえることができる。
【００３５】
なお、外装部材３０が電線２０に巻付けられた状態で外装部材３０の外縁部３１ｃ、３１ｄと電線２０との周囲に粘着テープ８０が巻付けられていてもよい。
【００３６】
＜動作＞
次に、外装部材３０Ｂから剥離紙５０を剥がす動作について説明する。外装部材３０Ｂから剥離紙５０を剥がすには、例えば、以下のようにするとよい。
【００３７】
まず、外装部材３０Ｂから両面粘着テープ４００に設けられた剥離紙５０を剥がす動作について説明する。最初に外装部材３０Ｂの中央付近を保持する。この状態で内側角部４４０ａの周辺を基準に外装部材３０Ｂを山折りする。例えば、内側角部４４０ａの二等分線と直交する方向を折り目とするとよい。外装部材３０Ｂを山折りすると、内側角部４４０ａが鋭角部であるため、内側角部４４０ａに応力が集中する。これにより、剥離紙５０のうち内側角部４４０ａを覆う部分が両面粘着テープ４００から容易に浮き上がる。あとは、この浮き上がった部分から剥離紙５０を短尺方向及び長尺方向に沿って順に剥がしていくことで、外装部材３０Ｂから両面粘着テープ４００に設けられた剥離紙５０を容易に剥がすことができる。
【００３８】
次に、外装部材３０Ｂを主面に直交する軸周りに１８０度回転させることで、同じ姿勢で両面粘着テープ４０１を剥がす作業に臨むことができる。そして、上記と同様の動作を行うことによって外装部材３０Ｂから両面粘着テープ４０１に設けられた剥離紙５０を剥がすことができる。
【００３９】
剥離紙５０が剥がされた外装部材３０Ｂは、例えば、以下のように電線２０に取付けられる。即ち、まず、一方の外縁部３１ａに設けられた両面粘着テープ４００を電線２０に貼付ける。そして、一方の外縁部３１ａを巻始め部分として外装部材３０Ｂを順次電線２０周りに巻付けていく。そして、他方の外縁部３１ｂに設けられた両面粘着テープ４０１を電線２０に既に巻き付けられた外装部材３０の外面に貼付ける。これにより、外縁部３１ｂが巻終わり部分となって、外装部材３０が電線２０に取付けられた外装部材付電線１０が製造される。
【００４０】
このような外装部材付電線１０及び外装部材３０によると、両面粘着テープ４０に鋭角部が形成されているため、両面粘着テープ４０の表面に設けられた剥離紙５０を剥がす際に鋭角部を手掛かりとすることによって当該剥離紙５０が剥がしやすくなる。
【００４１】
ここで、両面粘着テープ４０に鋭角部を形成するに当たって、本体部３６の縁部３７ｃ、３７ｄに相当する部分は切り欠かず、両面粘着テープ４０の縁部４１０ｃ、４１０ｄに相当する部分のみ切り欠くことで鋭角部を形成することが考えられる。しかしながら、この場合、両面粘着テープが鋭角部を有すものの本体部が両面粘着テープと同じ形状に形成されていないため、本体部の縁部に両面粘着テープのない部分が生じることによって、貼り付けた後の本体部の縁部が剥がれ易くなる。これに対して、本実施形態に係る外装部材３０Ｂでは、本体部３６のうち両面粘着テープ４０が設けられた部分が両面粘着テープ４０と同じ形状に形成されているため、両面粘着テープ４０のない部分が生じることが抑制されることによって、貼り付けた後の本体部３６の縁部が剥がれにくくなる。
【００４２】
また、鋭角部は、２つの内側角部４４の少なくとも一方に形成されていることによって、本体部３６のうち第２方向Ｄ２に沿った中央側から剥離紙５０を剥がしやすくなる。
【００４３】
また、２つの内側角部４４のうち一方が鋭角部に形成され、他方は鈍角部に形成されている。これにより、外装部材３０Ｂを長尺の基材から切り出して連続的に製造した場合でも、１つの両面粘着テープ４０の内側角部４４に必ず鋭角部を形成することができる。
【００４４】
また、１つの両面粘着テープ４０における１つの方向に沿った鋭角部と鈍角部との位置関係が、２つの両面粘着テープ４０において逆にされている。このため、２つの両面粘着テープ４０の一方の剥離紙５０を剥がした後に、外装部材３０を１８０度回転させることで、２つの両面粘着テープ４０の他方の剥離紙５０も、一方の剥離紙５０と同様の姿勢で剥がすことができる。
【００４５】
また、外縁部３１ｃ、３１ｄが波形状に切り欠かれているため、剥離紙５０を剥がす際に応力が集中しやすい箇所が生じることによって、当該剥離紙５０が剥がしやすくなる。
【００４６】
｛変形例｝
次に、外装部材３０Ｂの変形例について説明する。図４は、外装部材３０Ｂの変形例を示す平面図である。図５は、外装部材３０Ｂの別の変形例を示す平面図である。
【００４７】
実施形態において、外縁部（第２縁部）３１ｃ、３１ｄが波形状に形成されているものとして説明したが、このことは必須ではない。図４に示す変形例に係る外装部材１３０Ｂのように、第２縁部が波形状に形成されていない場合もあり得る。
【００４８】
より詳細には、変形例に係る外装部材１３０Ｂは、本体部１３６に剥離紙１５０付きの両面粘着テープ１４０が貼り付けられた状態で、平行四辺形状に裁断されている。このため、外装部材１３０Ｂの外縁部１３１ｃ、１３１ｄは、直線状に形成されている。この際、２つの両面粘着テープ１４０は、同じ平行四辺形状に形成され、外装部材１３０Ｂのそれぞれの外縁部１３１ａ、１３１ｂに位置している。本体部１３６は、両面粘着テープ１４０の内角の組み合わせと同じ組み合わせの内角を有し、且つ両面粘着テープ１４０よりも高さ寸法の大きい平行四辺形状に形成されている。従って、本体部３６のうち両面粘着テープ４０が設けられていない部分も、両面粘着テープ４０の内角の組み合わせと同じ組み合わせの内角を有する。
【００４９】
また、実施形態において、第１方向Ｄ１に沿った鋭角部と鈍角部との位置関係が２つの両面粘着テープ４０で逆にされているものとして説明したが、このことは必須ではない。図５に示す別の変形例に係る外装部材２３０Ｂのように、第１方向Ｄ１に沿った鋭角部と鈍角部との位置関係が２つの両面粘着テープ２４０で同じに形成されている場合もあり得る。
【００５０】
より詳細には、別の変形例に係る外装部材２３０Ｂにおいて、２つの両面粘着テープ２４０は、同じ平行四辺形状に形成され、外装部材２３０Ｂのそれぞれの外縁部２３１ａ、２３１ｂに第１方向Ｄ１に沿う軸に対象な姿勢で位置している。本体部２３６のうち両面粘着テープ２４０が設けられる部分は、両面粘着テープ２４０と同じ形状に形成されている。本体部２３６のうち両面粘着テープ２４０が設けられていない部分は、長方形状に形成されている。
【００５１】
また、実施形態において、一対の外縁部３１ａ、３１ｂにそれぞれ両面粘着テープ４０が設けられるものとして説明したが、このことは必須ではない。一対の外縁部３１ａ、３１ｂの一方にのみ両面粘着テープ４０が設けられていてもよい。
【００５２】
また、実施形態において、両面粘着テープ４０における内側角部４４が鋭角部に形成されているものとして説明したが、このことは必須ではない。両面粘着テープ４０における内側角部４４が鋭角部に形成されていなくてもよい。この場合、両面粘着テープ４０における内側角部４４以外の角部４３が鋭角部に形成されていればよい。
【００５３】
また、実施形態において、１つの両面粘着テープ４０における２つの内側角部４４のうち一方が鋭角部に形成され、他方が鈍角部に形成されているものとして説明したが、このことは必須ではない。１つの両面粘着テープ４０における２つの内側角部４４が共に鋭角部に形成されていてもよい。
【００５４】
また、剥離紙５０を剥がしやすくするために、例えば、外装部材３０Ｂにおいて両面粘着テープ４０及び剥離紙５０に第１方向Ｄ１に沿ったミシン目が形成されていてもよい。
【００５５】
なお、上記実施形態及び各変形例で説明した各構成は、相互に矛盾しない限り適宜組み合わせることができる。
【００５６】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００５７】
１０  外装部材付電線
２０  電線
３０  外装部材
３０Ｂ  巻付け前の外装部材
３１ａ、３１ｂ  外縁部（第１縁部）
３１ｃ、３１ｄ  外縁部（第２縁部）
３６  本体部
３７ａ、３７ｂ、３７ｃ、３７ｄ  縁部
４０  両面粘着テープ
４１０ｂ、４１１ｂ  内側縁部
４４  内側角部
５０  剥離紙
Ｄ１  第１方向
Ｄ２  第２方向
【図１】
2017195017.tif 000003
【図２】
2017195017.tif 000004
【図３】
2017195017.tif 000005
【図４】
2017195017.tif 000006
【図５】
2017195017.tif 000007